(57)【特許請求の範囲】
【請求項１】
吐水口から便器ボール面に向かって吐水する使用位置と、便器後部に起立する非使用位置との間で回動可能な吐水部と、前記吐水部が前記使用位置にあるときのみに前記吐水部と連動して前記吐水部に給水可能とする開閉弁と、前記吐水部に連結された水栓本体と、を有する汚物洗い水栓であって、
前記開閉弁は、弁座部と、前記弁座部に供給される水圧によって前記弁座部に付勢される弁体部と、を有する開閉弁本体と、前記吐水部の使用位置・非使用位置間の回動に伴って螺合機構により進退移動するコマ部と、を有し、
前記吐水部を前記使用位置まで回動させると前記コマ部が移動して前記コマ部が前記弁体部を前記弁座部から離隔する方向に付勢し、
前記吐水部が前記使用位置にある状態で前記吐水部と前記水栓本体の連結が解除されたとき、前記コマ部が前記弁体部を前記弁座部から離隔する方向に付勢する付勢力も解除され前記開閉弁が閉弁状態となることを特徴とする汚物洗い水栓。
【請求項２】
前記開閉弁は、前記弁座部に供給される水圧に加えて、前記弁体部を前記弁座部に押圧する付勢部を備えたことを特徴とする請求項１記載の汚物洗い水栓。
【請求項３】
前記吐水部に、前記開閉弁から独立して、前記吐水口からの吐水及び流量を制御する第二開閉弁を設けたことを特徴とする請求項１または２記載の汚物洗い水栓。
【発明の詳細な説明】
【技術分野】
【０００１】
本発明は、尿瓶やストーマ装具などに収容若しくは付着した汚物を洗浄するために水栓便器に併設される汚物洗い水栓に関する。
【背景技術】
【０００２】
従来の汚物洗い水栓として、開閉弁と一体化された吐水部を有し、この吐水部の回転操作に伴って前記開閉弁が吐水部からの吐止水を制御する機能を備えた「汚物洗い設備」が知られている（例えば、特許文献１参照。）。
【先行技術文献】
【特許文献】
【０００３】
【特許文献１】特開平１１−３３６１５８号公報
【発明の概要】
【発明が解決しようとする課題】
【０００４】
特許文献１記載の「汚物洗い設備」は、吐水部の回転と開閉弁の開閉動作とが連動しているため、吐水部が吐水状態にあるときに、何らかの原因で水栓本体から吐水部が外れた場合、開閉弁は開状態のままであるため、漏水が発生するという問題がある。
【０００５】
そこで、本発明が解決しようとする課題は、吐水部の回転操作と連動して吐水・止水する機能を有する水栓において、水栓本体から吐水部が外れた場合に漏水が生じない汚物洗い水栓を提供することにある。
【課題を解決するための手段】
【０００６】
本発明の汚物洗い水栓は、吐水口から便器ボール面に向かって吐水する使用位置と、便器後部に起立する非使用位置との間で回動可能な吐水部と、前記吐水部が前記使用位置にあるときのみに前記吐水部と連動して前記吐水部に給水可能とする開閉弁と、前記吐水部に連結された水栓本体と、を有する汚物洗い水栓であって、
前記開閉弁は、弁座部と、前記弁座部に供給される水圧によって前記弁座部に付勢される弁体部と、を有する開閉弁本体と、前記吐水部の使用位置・非使用位置間の回動に伴って螺合機構により進退移動するコマ部と、を有し、
前記吐水部を前記使用位置まで回動させると前記コマ部が移動して前記コマ部が前記弁体部を前記弁座部から離隔する方向に付勢し、
前記吐水部が前記使用位置にある状態で前記吐水部と前記水栓本体の連結が解除されたとき、前記コマ部が前記弁体部を前記弁座部から離隔する方向に付勢する付勢力も解除され前記開閉弁が閉弁状態となることを特徴とする。
【０００７】
このような構成とすれば、経年劣化あるいは使用者による吐水部への意図していない荷重の付加などにより、吐水部と水栓本体との連結部において、吐水部と水栓本体との連結が外れることがあっても、開閉弁が強制的に閉弁状態となるので、漏水が生じない。
【０００８】
ここで、本発明の汚物洗い水栓において、前記開閉弁は、弁座部と、前記弁座部に供給される水圧によって前記弁座部に付勢される弁体部と、を有する開閉弁本体と、前記吐水部の使用位置・非使用位置間の回動に伴って螺合機構により進退移動するコマ部と、を有し、
前記吐水部を前記使用位置まで回動させると前記コマ部が移動して前記コマ部が前記弁体部を前記弁座部から離隔する方向に付勢し、
前記吐水部が前記使用位置にある状態で前記吐水部と前記水栓本体との連結が解除されたとき、前記コマ部が前記弁体部を前記弁座部から離隔する方向に付勢する付勢力も解除される構成としている。
【０００９】
このような構成とすれば、仮に、吐水部と水栓本体との連結が外れた際に、開閉弁は強制的に閉弁状態となるので、漏水することがない。また、吐水部の位置によって回転方向以外の位置が異なることがないので、吐水部の操作時に違和感が無く、使い勝手も良好である。
【００１０】
また、前記開閉弁は、前記弁座部に供給される水圧に加えて、前記弁体部を前記弁座部に押圧する付勢部を備えることが望ましい。
【００１１】
このような構成とすれば、弁座部に供給される水圧に加えて、付勢部が弁体部を常に弁座部に付勢した状態となるので、水圧の低い現場において、仮に、吐水部と水栓本体との連結が外れることがあっても、水圧及び付勢部の付勢力によって弁体部が弁座部に当接することで確実な閉弁状態が保たれるので、水圧の低い現場でも漏水することがない。
【００１２】
さらに、前記吐水部に、前記開閉弁から独立して、前記吐水口からの吐水及び流量を制御する第二開閉弁を設けることが望ましい。
【００１３】
このような構成とすれば、第二開閉弁が止水不良を起こした場合でも開閉弁で止水されるので、漏水（吐水）を止めることができる。また、第二開閉弁は吐水部に設けられているので、使用者は、吐水部の使用位置において流量調整を行うことができる。
【発明の効果】
【００１４】
本発明により、吐水部の回転操作と連動して吐水・止水する機能を有し、且つ、水栓本体から吐水部が外れた場合に漏水が生じない汚物洗い水栓を提供することができる。
【図面の簡単な説明】
【００１５】
【図１】本発明の実施形態である汚物洗い水栓において吐水部が待機位置にある状態を示す斜視図である。
【図２】本発明の実施形態である汚物洗い水栓において吐水部が使用位置にある状態を示す斜視図である。
【図３】本発明の実施形態である汚物洗い水栓において吐水部が使用位置にある状態を示す右側面図である。
【図４】図１に示す汚物洗い水栓の正面図である。
【図５】図４のＡ−Ａ線における断面図である。
【図６】図２に示す汚物洗い水栓の正面図である。
【図７】図６のＢ−Ｂ線における断面図である。
【図８】図６に示す汚物洗い水栓が異常時にあるときのＢ−Ｂ線における断面図である。
【図９】本発明のその他の実施形態である汚物洗い水栓を示す一部切欠右側面図である。
【発明を実施するための形態】
【００１６】
以下、図面に基づいて、本発明の実施の形態について説明する。図１〜図３に示すように、本実施形態の汚物洗い水栓１０は、洋式便器２０の背面側にある壁面Ｗに固定された背もたれ１６に対して固定されている。洋式便器２０は、便器本体２０ａ、便座２０ｂ及び機能部２０ｃなどによって構成されている。機能部２０ｃには、便座２０ｂを所定温度に保つ温度制御装置（図示せず）や使用者の局部を洗浄する衛生洗浄装置（図示せず）などが内蔵されている。
【００１７】
汚物洗い水栓１０は、洋式便器２０のボール面２０ｄに向かって傾斜姿勢で吐水する使用位置（図２参照）と、洋式便器２０の後部に起立する待機位置（図１参照）との間で中心軸１０ｃを中心に回動可能な吐水部１１と、吐水部１１の先端に設けられた吐水口１１ａと、吐水口１１ａからの吐水・止水を切り換え可能な第二開閉弁３６と、吐水部１１に水を供給する水栓本体１２と、を有している。給水源（図示せず）から壁面Ｗ配管された給水管１３と本体部１２とは可撓性ホース１４で連結されている。
【００１８】
図３に示すように、背もたれ部１６は水平支持部材１７を介して壁面Ｗに対し前後位置調整可能に取り付けられ、水栓本体１２は垂直連設部材１９を介して背もたれ部１６の背面に上下位置調整可能に取り付けられている。また、待機位置にあるときの吐水部１１を収容するため、背もたれ部１６の中央付近に逆Ｕ字状の切欠部１６ａが設けられている。
【００１９】
汚物洗い水栓１０は、中心軸１０ｃを中心とする吐水部１１の回動操作に連動して吐水・止水する機能を有する。従って、図１に示す待機位置にある吐水部１１を便器本体２０ａのボール面２０ｄに向かって倒伏するように回動させ、図２に示す使用位置にすると、第二開閉弁３６の開閉操作により吐水部１１の吐水口１１ａからの吐水・止水が可能であり、吐水部１１を元の待機位置まで回動させると吐水部１１の第二開閉弁３６の開閉状態に関係なく止水状態となる。即ち、後述する水栓本体１２に内蔵されている第一開閉弁３０が吐水部１１の前記回動操作と連動して開閉することにより、吐水部１１の吐水口１１ａからの吐水・止水が行われる。
【００２０】
ここで、図４〜図７に基づいて、水栓本体１２の構造、機能などについて説明する。図４，図５に示すように、略円筒形状をした水栓本体１２のケーシング１２ａ内に、吐水部１１の基端部１１ｂに連設されたスピンドル部１１ｃが中心軸１０ｃを中心に回動可能に挿入されている。水栓本体１２のケーシング１２ａ内には、吐水部１１が使用位置にあるときのみに吐水部１１と連動して吐水部１１に給水可能とする第一開閉弁３０が設けられている。また、第一開閉弁３０には、供給される水圧に加え、弁体部３２を弁座部３１に押圧する付勢部３５が設けられている。
【００２１】
第一開閉弁３０は、弁座部３１と、供給される水圧によって弁座部３１に付勢される弁体部３２と、を有する開閉弁本体３３と、吐水部１１が待機位置と使用位置との間で回動するのに伴って進退移動するコマ部３４と、を有している。具体的には、コマ部３４の外周には雄ねじが設けられており、周囲部材に設けられた雌ねじと螺合機構が形成されている。吐水部１１が待機位置と使用位置との間で回動操作されると、吐水部１１の基端部１１ｂに連接されたスピンドル部１１ｃの回転に伴い、コマ部３４が回転する。コマ部３４が回転すると、前記螺合機構により弁座部３１に対しコマ部３４が中心軸１０ｃに沿って進退移動する。
【００２２】
図１，図４に示すように、吐水部１１が待機状態にあるとき、第一開閉弁３０の弁体部３２は、その上流側の流路３７内の水圧で付勢されることによって弁座部３１に押圧されているため、図５に示すように、第一開閉弁３０は閉止状態にあり、吐水部１１は吐水不能の状態に保たれている。
【００２３】
図２，図６に示すように、吐水部１１を使用位置まで回動させると、スピンドル部１１ｃがコマ部３４を流路３７側へ押圧するので、コマ部３４の流路３７側への移動に伴い、コマ部３４が弁体部３２を弁座部３１から離隔する方向に付勢する。これにより、図７に示すように、弁体部３２が弁座部３１から離れ、両者間に隙間Ｓが生じるので、流路３７内の水が隙間Ｓを通過してコマ部３４の内筒部３４ａ及びスピンドル部１１ｃの内筒部１１ｄに流入し、吐水部１１は吐水可能な状態となる。
【００２４】
この状態で、吐水部１１の吐水口１１ａ近傍の操作レバー３６ａを操作して第二開閉弁３６を開閉させることにより、吐水口１１ａからの吐水・止水の切り換え及び吐水口１１ａからの吐水流量の調節を行うことができる。従って、使用者は、吐水口１１ａから洋式便器２０のボール面２０ｄに向かって吐出される水を利用して、尿瓶やストーマ装具などに収容されたり、付着したりしている汚物の洗浄を行うことができる。
【００２５】
図２，図３に示すように吐水部１１が使用位置にあるときの吐水口１１ａからの吐水・止水の切り換えは、第二開閉弁３６の操作レバー３６ａを手動操作することによって行うことができる。従って、尿瓶などの洗浄が終わり、操作レバー３６ａを操作して第二開閉弁３６を閉止すれば、吐水口１１ａからの吐水が停止されるので、吐水部１１を壁面Ｗ側へ回動させて図１に示す待機位置に戻すことができる。なお、吐水口１１ａからの吐水中に吐水部１１を壁面Ｗ側へ回動させると、その動きに伴って水栓本体１２内の第一開閉弁３０が閉止されるので、吐水口１１ａからの吐水が停止される。
【００２６】
一方、経年劣化あるいは使用者による吐水部１１への意図していない荷重の付加などにより、吐水部１１と水栓本体１２との連結部において、吐水部１１と水栓本体１２との連結が外れた場合、図８に示すように、吐水部１１のスピンドル部１１ｃがコマ部３４から離れるが、供給される水圧に加え、弁体部３２を弁座部３１に押圧する付勢部３５が設けられているため、第一開閉弁３０が強制的に閉弁状態となり、漏水が生じることがない。
【００２７】
また、付勢部３５を設けたことにより、供給される水圧に加えて、付勢部３５が弁体部３２を常に弁座部３１に付勢した状態となるので、供給水圧の低い現場において、仮に、吐水部１１と水栓本体１２との連結が外れることがあっても、水圧及び付勢部３５の付勢力によって弁体部３２が弁座部３１に当接することで確実な閉弁状態が保たれ、低水圧に起因する漏水が発生しない。なお、本実施形態では、付勢部３５として弦巻バネを使用しているがこれに限定するものではない。
【００２８】
本実施形態の汚物洗い水栓１０は、吐水部１１の回動位置によって回動方向以外の位置や形状が変化しないので、吐水部１１の操作時に違和感が無く、使い勝手も良好である。また、吐水部１１に、水栓本体１２内の第一開閉弁３０から独立して、吐水口１１ａからの吐水及び流量を制御する第二開閉弁３６を設けているため、第二開閉弁３６が止水不良を起こした場合でも第一開閉弁３０によって止水され、漏水（吐水）を止めることができる。また、第二開閉弁３６は吐水部１１に設けられているので、使用者は、吐水部１１の使用位置において流量調整を行うことができる。
【００２９】
次に、図９に基づいて、その他の実施形態である汚物洗い水栓４０について説明する。図９に示す汚物洗い水栓４０においては、吐水部４１を構成する吐水口４１ａに臨む部分に、吐水口４１ａからの吐水方向に突出したリブ状のガード部４２が設けられている。このような構成とすれば、洗浄しようとする尿瓶やストーマ装具（図示せず）内を洗浄水で洗うために、その開口部を吐水口４１ａに近づけたとき、開口部の周縁がガード部４２に当接することにより、尿瓶やストーマ装具の開口部が吐水口４１ａに接触するのを防ぐことができる。従って、洗浄作業中に、尿瓶内やストーマ装具の汚物が吐水口４１ａへ付着したり、尿瓶内やストーマ装具の汚水が吐水口４１ａから吐水部４１内へ逆流したりするのを防止することができ、衛生的である。その他の部分の構造、機能などは前述した汚物洗い水栓１０と同じである。
【産業上の利用可能性】
【００３０】
本発明の汚物洗い水栓は、尿瓶やストーマ装具などに収容若しくは付着した汚物を洗浄するため、一般住宅、病院、介護施設あるいはオフィスや公共施設などのトイレにおいて広く利用することができる。
【符号の説明】
【００３１】
１０，４０  汚物洗い水栓
１１，４１  吐水部
１１ａ，４１ａ  吐水口
１１ｂ  基端部
１１ｃ  スピンドル部
１２  水栓本体
１２ａ  ケーシング
１３  給水管
１４  可撓性ホース
１６  背もたれ
１６ａ  切欠部
１７  水平支持部材
１９  垂直連設部材
２０  洋式便器
２０ａ  便器本体
２０ｂ  便座
２０ｃ  機能部
２０ｄ  便器ボール面
３０  第一開閉弁
３１  弁座部
３２  弁体部
３３  開閉弁本体
３４  コマ部
３５  付勢部
３６  第二開閉弁
３６ａ  操作レバー
３７  流路
【図１】
0005640350.tif 000002
【図２】
0005640350.tif 000003
【図３】
0005640350.tif 000004
【図４】
0005640350.tif 000005
【図５】
0005640350.tif 000006
【図６】
0005640350.tif 000007
【図７】
0005640350.tif 000008
【図８】
0005640350.tif 000009
【図９】
0005640350.tif 000010